(57)【要約】  【課題】簡単に、火災鎮火後にスプリンクラヘッドからの放水を停止できるようにする。また、古いスプリンクラヘッドを新しいものに交換するとき、水の流出を防止する。  【解決手段】消火水を充水されている配管１に取り付けられるスプリンクラヘッド５において；  前記消火配管１から前記スプリンクラヘッド５に連続する流路１２を開閉する遮蔽手段５０と、前記遮蔽手段５０を制御する解除手段４５であって、前記配管１に前記スプリンクラヘッド５を取り付けたときに前記遮蔽手段５０を開弁させ、それを外したときに閉弁せしめる解除手段４５と、を備えている。  【選択図】  図１
2007252744.tif 000002
【特許請求の範囲】
【請求項１】
消火水が充水された配管に接続されるスプリンクラヘッドにおいて；
前記配管内の流路に設けられた遮断手段と、前記スプリンクラヘッドに接続され、前記遮断手段を前記流路から解除状態にする解除手段と、を備え、
前記スプリンクラヘッドを前記配管から取り外す際、前記遮断手段が前記流路を塞ぐことを特徴とするスプリンクラヘッドの取付具。
【請求項２】
前記遮断手段がシールボールであり、前記解除手段が消火水の通過孔を備えた円板と、該円板の上面中央に設けられ、前記シールボールを押し上げるロッドとを備えていることを特徴とする請求項1記載のスプリンクラヘッドの取付具。
【請求項３】
前記スプリンクラヘッドが、前記配管にワンタッチで接続できるワンタッチ継手に連結されていることを特徴とする請求項１、又は、２記載のスプリンクラヘッドの取付具。
【請求項４】
消火水が充水された配管に、接続筒を介して接続されるスプリンクラヘッドにおいて；
前記接続筒内に、弁座と、該弁座の前記配管側に配設された弁部材とを設け、
前記接続筒にスプリンクラヘッドを着脱自在に設け、
前記スプリンクラヘッドに前記弁部材を開弁方向に押し上げるロッドを設けたことを特徴とするスプリンクラヘッドの取付具。
【請求項５】
消火水が充水される配管に、カップリングを介して接続されるスプリンクラヘッドにおいて；
前記カップリングは、前記配管に装着される雌カップリングと、前記スプリンクラヘッドに装着される雄カップリングとからなり、
前記雌カップリングには、弁座と、該弁座に着座する弁体と、該弁体を閉弁方向に付勢する付勢手段と、が設けられ、
前記雄カップリングには、前記弁体を開方向に押圧する弁押し突起が設けられていることを特徴とするスプリンクラヘッドの取付具。
【請求項６】
消火水が充水される配管に、ソケットを介して取り付けられるスプリンクラヘッドにおいて；
前記配管に、制御弁が設けられ、
前記ソケットに、前記スプリンクラヘッドの着脱を検出するセンサが設けられ、
該センサが前記制御弁を操作する制御部に連結されていることを特徴とするスプリンクラヘッドの取付具。
【請求項７】
前記センサが、前記ソケットからスプリンクラヘッドが外されたことを検出すると、前記制御部は、前記制御弁を閉じることを特徴とする請求項６記載のスプリンクラヘッドの取付具。
【発明の詳細な説明】
【技術分野】
【０００１】
この発明は、消火設備に用いられるスプリンクラヘッドに関するものであり、さらに述べると、消火水が充水されている配管に接続されるスプリンクラヘッドの取付具に関するものである。
【背景技術】
【０００２】
消火装置として、火災時に動作して散水を行うスプリンクラヘッドが知られている。このスプリンクラヘッドでは、放水を開始すると、火災が鎮火しても放水が停止しないので、鎮火後放水を停止するには、消火作業員等は、制御弁まで移動して閉弁させなければならない。ところが、この制御弁は、消火配管の基端側に位置しているので、該消火作業員等がそこまで移動し閉弁作業を行わなければならないので、止水までに時間がかる。そのため、消火水が無駄になると共に、水損の問題も発生する。
【０００３】
そこで、前記問題を解決するスプリンクラヘッドとして、次のものが知られている（例えば、特許文献１、参照）。即ち、
配管部材と、この配管部材の放水口を閉鎖する遮断球と、この遮断球と連結された遮断球を常時配管部材の通水に邪魔にならない様な位置に係止するワイヤと、その他端に設けられた係止手段とを備えたスプリンクラ消火設備の緊急放水停止装置。
この特許文献１では、係止手段を外すと遮断球が落下して放水口を閉止し、散水が停止する。
【０００４】
【特許文献１】実公平５−４８４６号公報
【０００５】
又、前記以外にも、火災感知器からの信号を取り込み、該火災感知器のセンサ出力が低下したときに、ヘッドに接続した開閉弁を閉止制御するものがある。
【発明の開示】
【発明が解決しようとする課題】
【０００６】
従来例は、ワイヤや火災感知器等を設けているので、構造が複雑である。また、ワイヤを用いるものは、操作しやすい位置にワイヤの係止手段が設けられているので、悪戯により該ワイヤを係止手段から外し、閉弁させる恐れがある。
【０００７】
この発明は、上記事情に鑑み、簡単な構成で、火災鎮火後にスプリンクラヘッドからの放水を簡単に停止できるようにすることを目的とする。また、他の目的は、火災鎮火後に限らず、古いスプリンクラヘッドを新品に交換するために、配管から取り外す際、該配管から水が流出しないようにすることである。
【課題を解決するための手段】
【０００８】
この発明は、消火水が充水された配管に接続されるスプリンクラヘッドにおいて；前記配管内の流路に設けられた遮断手段と、前記スプリンクラヘッドに接続され、前記遮断手段を前記流路から解除状態にする解除手段と、を備え、前記スプリンクラヘッドを前記配管から取り外す際、前記遮断手段が前記流路を塞ぐことを特徴とする。
【０００９】
この発明の遮断手段がシールボールであり、前記解除手段が消火水の通過孔を備えた円板と、該円板の上面中央に設けられ、前記ボール弁を押し上げるロッドとを備えていることを特徴とする。この発明のスプリンクラヘッドが、前記配管にワンタッチで接続できるワンタッチ継手を備えていることを特徴とする。
【００１０】
この発明は、消火水が充水された配管に、接続筒を介して接続されるスプリンクラヘッドにおいて；前記接続筒内に、弁座と、該弁座の前記配管側に設けられた弁部材とを設け、前記接続筒にスプリンクラヘッドを着脱自在に設け、前記スプリンクラヘッドに前記弁部材を開弁方向に押し上げるロッドを設けたことを特徴とする。
【００１１】
この発明は、消火水が充水される配管に、カップリングを介して接続されるスプリンクラヘッドにおいて；前記カップリングは、前記配管が装着される雌カップリングと、前記スプリンクラヘッドが装着される雄カップリングとからなり、
前記雌カップリングには、弁座と、該弁座に圧接する弁体と、該弁体を閉弁方向に付勢する付勢手段と、が設けられ、前記雄カップリングには、前記弁体を開方向に押圧する弁押し突起が設けられていることを特徴とする。
【００１２】
この発明は、消火水が充水される配管に、ソケットを介して取り付けられるスプリンクラヘッドにおいて；前記配管に、制御弁が設けられ、前記ソケットに、前記スプリンクラヘッドの着脱を検出するセンサが設けられ、該センサが前記制御弁を操作する制御部に連結されていることを特徴とする。
【発明の効果】
【００１３】
この発明は、配管内の流路に設けられた遮断手段と、前記スプリンクラヘッドに接続され、前記遮断手段を前記流路から解除状態にする解除手段と、を備え、前記スプリンクラヘッドを前記配管から取り外す際、前記遮断手段が前記流路を塞ぐので、前記遮断手段は、解除手段によって、流路から解除され、該流路は開放状態にあり、配管内の水はヘッドの弁体まで充水している。このため、ヘッドが動作すれば、そのまま放水が行われる。
火災が鎮火し、消火が完了したら、スプリンクラヘッドを配管から取り外す。そうすると、ヘッドとともに解除手段も外されるので、遮断手段の押圧が解除され、遮断手段は落下して、配管の流路を塞いで遮断する。
このように、作動したスプリンクラヘッドを配管から取り外すという作業だけで、火災鎮火後におけるヘッドからの散水を停止することができる。また、言い換えれば、配管の基端側にある制御弁などを閉止させることなく、スプリンクラヘッドの交換作業を行うことが可能となる。
【００１４】
この発明は、接続筒内に、弁座と、該弁座の前記配管側に設けられた弁部材とを設け、前記接続筒にスプリンクラヘッドを着脱自在に設け、前記スプリンクラヘッドに前記弁部材を開弁方向に押し上げるロッドを設けたので、接続筒にスプリンクラヘッドを取り付けると、前記弁部材はロッドに押されて弁座から離れ、開弁状態となるが、それを外すと閉弁状態となる。そのため、火災鎮火後にスプリンクラヘッドを前記接続筒から外すと、即座に弁部材が着座し閉弁状態となるので、放水口からの放水は停止する。
【００１５】
この発明では、カップリングは、前記配管が装着される雌カップリングと、前記スプリンクラヘッドが装着される雄カップリングとからなり、前記雌カップリングには、弁座と、該弁座に圧接する弁体と、該弁体を閉弁方向に付勢する付勢手段と、が設けられ、前記雄カップリングには、前記弁体を開方向に押圧する弁押し突起が設けられているので、雄カップリングを雌カップリングに装着すると、前記弁体は突起に押されて弁座から離れ、開弁状態となるが、それを外すと閉弁状態となる。そのため、火災鎮火後にスプリンクラヘッドの付いている雄カップリングを雌カップリングから外すと、即座に前記弁体が着座し閉弁状態となるので、放水口からの放水は停止する。
【００１６】
この発明は、配管に制御弁が設けられ、ソケットにスプリンクラヘッドの着脱を検出するセンサが設けられ、該センサが前記制御弁を操作する制御部に連結されているので、スプリンクラヘッドをソケットに装着すると、前記制御部が前記制御弁を開かせて、開弁状態にするが、それを外すと制御部が前記制御弁を閉じさせ、閉弁状態にする。そのため、火災鎮火後にスプリンクラヘッドをコネクタから外すと、即座に前記制御弁が閉じて閉弁状態となるので、放水口からの放水は停止する。
【発明を実施するための最良の形態】
【００１７】
本発明者は、前記問題を解決するためには、スプリンクラヘッドが配管から取り外された場合に、即座に放水が停止される様にすれば良い、と考え、研究実験を重ねた。その結果次の様にすれば良いことが分かった。
（１）消火水が充水された配管に接続されるスプリンクラヘッドにおいて；前記配管内の流路に設けられた遮断手段と、前記スプリンクラヘッドに接続され、前記遮断手段を前記流路から解除状態にする解除手段と、を備えること。
（２）消火水が充水された配管に、接続筒を介して接続されるスプリンクラヘッドにおいて：前記接続筒内に、弁座と、該弁座の前記配管側に設けられた弁部材とを設け、前記接続筒にスプリンクラヘッドを着脱自在に設け、前記スプリンクラヘッドに前記弁部材を開弁方向に押し上げるロッドを設けること。
【００１８】
（３）消火水が充水される配管に、カップリングを介して接続されるスプリンクラヘッドにおいて；前記カップリングは、前記配管が装着される雌カップリングと、前記スプリンクラヘッドが装着される雄カップリングとからなり、前記雌カップリングには、弁座と、該弁座に圧接する弁体と、該弁体を閉弁方向に付勢する付勢手段と、が設けられ、前記雄カップリングには、前記弁体を開方向に押圧する突起が設けられていること。
【００１９】
（４）消火水が充水される配管に、ソケットを介して取り付けられるスプリンクラヘッドにおいて；前記配管に、制御弁が設けられ、前記ソケットに、前記スプリンクラヘッドの着脱を検出するセンサが設けられ、該センサが前記制御弁を操作する制御部に連結されていること。
この発明は、前記知見に基きなされたものである。
【実施例１】
【００２０】
この発明の第１実施例を図１、図２により説明する。
戸建て住宅、又は、共同住宅等に設置されているスプリンクラ消火設備の消火配管１には、受け継手７が装着され、該受け継手７にはワンタッチ継手３を介してスプリンクラヘッド５が連結されている。
ワンタッチ継手３は消火配管１の一部を構成する受け継手７にワンタッチで接続できるのであり、消火配管１には消火水が充水されている。
本実施例では、受け継手７及びワンタッチ継手３によりスプリンクラヘッドの取付具を構成している。
【００２１】
前記受け継手７は、小筒９と、該小筒９と貫通孔１２を介して連通する大筒１６とを備えている。大筒１６には、ロックボール１７用の切欠き穴１８が設けられ、その外側には、摺動筒２０が設けられ、該摺動筒２０の内周面の、前記切欠き穴１８に対向する部分には、ロックボール１７用の押さえ凸部２２が設けられ、該押さえ凸部２２と大筒１６の上端部との間には、ばね２４が張設されている。このばね２４は、前記凸部２２をストッパ２３に当接せしめる方向に付勢する。前記ストッパ２３は大筒１６外周面の下端部に形成されている。
【００２２】
大筒１６の内側には、ヘッド本体３０に螺合するワンタッチ継手（装着筒）３が設けられ、このワンタッチ継手３の外周面の、前記切欠き穴１８に対向する部分には、前記ボール１７の収容溝２６が設けられている。前記ワンタッチ継手３の上端部内周面には、めねじ部３８が設けられ、該ねじ部３８には、円板４０が螺合される。
【００２３】
円板４０には、４半円状の消火水の通過孔４２が複数設けられ、その上面中央には、押し上げロッド４５が突設されている。このロッド４５は、アーム４７により支持されて円板４０に連結されており、貫通孔１２を閉鎖するシールボール５０を押し上げ、前記貫通孔１２を開放状態に維持している。円板４０の外周面には、前記ねじ部３８と螺合する雄ねじ部４３が設けられているので、この円板４０を回転させることにより、前記ロッド４５を変位させ、シールボール５０の位置を調整することができる。なお、この円板４０とワンタッチ継手３とは一体に形成しても良い。
【００２４】
スプリンクラヘッド５の放水口５４は、図示しない弁体により閉鎖されており、該弁体はバランサ又はアームガイドを介して感熱分解機構３５により支持されている。
本実施例においては、シールボール５０が流路としての貫通孔１２に設けられる遮断手段の一例であり、円板４０のロッド４５が、遮断手段を流路から解除状態にする解除手段の一例である。
【００２５】
次に、本実施例の作動について説明する。
火災発生により感熱分解機構３５が感熱して分解すると、弁体が放水口５４から離れて開口するので、消火水は貫通孔１２を通り放水口５４から放出される。
【００２６】
火災の鎮火後、スプリンクラヘド５を消火配管１から取り外すには、摺動筒２０をばね２４のばね力に抗して上方に摺動させると、押さえ凸部３２に押さえられていたロックボール１７が外方に移動し、収容溝２６から出るので、大筒１６とワンタッチ継手３とのロックは、解除される。そのため、スプリンクラヘッド５を下方に引っ張ると、ワンタッチ継手３は、大筒１６から抜けるので、押し上げロッド４５の付いた円板４０は器外に取り出される。
【００２７】
そうすると、シールボール５０は、押し上げロッド４５から解放されて落下し、貫通孔１２を閉鎖してふさぐ。即ち、解除手段（押し上げロッド４５）によるストッパが解除されて、シールボール５０は遮断状態となる。そのため、放水口５４からの放水は停止する。
【００２８】
次に、スプリンクラヘッド５を新しいものと交換し、ワンタッチ継手３に取り付ける。そして、受け継手７の摺動筒２０を押し上げ、スプリンクラヘッド５を装着したワンタッチ継手３を、受け継手７の大筒１６内に押し込んだ後、摺動筒２０を押し下げると、ロックボール１７が収容溝２６に入り、摺動筒２０の押さえ凸部２２により押圧されるので、ワンタッチ継手３は、ロックされる。このとき、シールボール５０は、ロッド４５により押し上げられるので、貫通孔１２は開放され、遮断状態から開弁状態となる。
【実施例２】
【００２９】
この発明の第２実施例を図３により説明する。
充水された消火配管６０は、直筒状の接続筒６２を介してスプリンクラヘッドＳＰに接続されている。配管６０の内面には、ばね受け６６が設けられ、その下端部には、雌ねじ部６８が設けられている。
本実施例では、接続筒６２によりスプリンクラヘッドの取付具を構成している。
【００３０】
接続筒６２内には、中央に流路６９を有する弁座７０が設けられている。この弁座７０の配管６０側には弁部材７２が設けられている。この弁部材７２は、弁体部７２ａと、該弁体部７２ａと円筒部を介して連結されているピストン部７２ｃと、から構成されている。前記円筒部には、複数の連通孔７２ｂが設けられている。このピストン部７２ｃと前記ばね受け６６との間には、弁部材７２を閉弁方向に付勢する付勢手段としてのコイルばね７４が張設されている。
【００３１】
接続筒６２の上端部には、前記ねじ部６８に螺合する雄ねじ部６２ａが設けられ、又、その下端部には、スプリンクラヘッドＳＰのヘッド本体６４のおねじ部６４ａに螺合するめねじ部６２ｂが設けられ、接続筒６２にはスプリンクラヘッドＳＰが着脱自在に設けられている。
【００３２】
ヘッド本体６４の上端部内周面には、円板６５が螺着されている。この円板６５は実施例1の図2の円板４０とほぼ同じものであり、この円板６５は複数の通過孔６５ａを有し、その上面中央には押し上げロッド６７が突設されている。前記ロッド６７は、アームにより支持されており、流路６９を貫通して前記弁体部７２ａを開弁方向に押し上げ、前記流路６９を開放させている。円板６５の外周面には、雄ねじ部６５ｂが設けられているが、この雄ねじ部６５ｂはヘッド本体６４の上端部内周面の雌ねじ部６４ｂに螺合している。
本実施例においては、弁部材７２が遮断手段の一例であり、円板６５の押し上げロッド６７が解除手段の一例となる。
【００３３】
ヘッド本体６４の放水口７１は、弁体７３により閉鎖されており、該弁体７３はバランサ又はアームガイドを介して感熱分解機構７５により支持されている。
【００３４】
次に、本実施例の作動を説明する。
火災発生により感熱分解機構７５が感熱して分解すると、弁体７３が放水口７１から離れて開口するので、消火水は連通孔７２ｂ、流路６９、通過孔６５ａを通り放水口７１から放出される。
【００３５】
火災の鎮火後、ヘッド本体６４を所定方向に回し、接続筒６２から外すと、弁体部７２ａを押し上げているロッド６７がなくなるので、該弁体部７２ａは、一点差線で示すように、コイルばね７４のばね力及び消火水の圧力により、弁座７０に圧接される。そのため、流路６９が閉鎖されるので、放水口７１からの放水は停止する。
なお、コイルばね７４を設けることで、確実に弁部材７２を弁座７０に押し付けて流路６９を閉止できるが、コイルばね７４は省略することも出来る。また、弁座７０の上面には、図に示すように、シール用の０リングを設けることが望ましい。
【００３６】
次に、スプリンクラヘッドＳＰを新しいものと交換するときに、ヘッド本体６４の上部に円板６５を取り付ける。そして、円板６５を装着したスプリンクラヘッドＳＰを接続筒６２の下端部に螺着すると、ロッド６７により弁体部７２ａが押し上げられ、流路６９が開かれ、開弁状態となる。
【実施例３】
【００３７】
この発明の第３実施例を図４により説明する。
消火配管８０は、カップリング８２を介してスプリンクラヘッドＳＰに連接続されている。カップリング８２は、消火配管に装着される雌カップリング８４とスプリンクラヘッドＳＰに装着される雄カップリング８６とから構成されている。
【００３８】
雌カプリング８４は、円錐台状に形成され、その上端部内周面には、配管８０に螺合される雌ねじ部８７が設けられ、その下端部内周面には、ボール８８を収容するボール穴９０が設けられている。前記雌カップリング８４の中央部内周面には、弁座９２が設けられている。弁座９２には、弁体９４が着座しているが、この弁体部９４は、付勢手段としてのばね９６により閉弁方向に付勢されている。
【００３９】
雄カップリング８６の上端内面には、ストッパ９８が設けられ、その下端部内周面には、ヘッド本体９７の雄ねじ部９７ａに螺合する雌ねじ部１００が設けられ、その外周面には、断面半円状のボール穴１０２が設けられている。雄カップリング８６には、弁体９４を開方向に押圧して押し上げる弁押し突起１０３が設けられ、該突起１０３はばね１０１により付勢され、前記ストッパ９８に係止している。
【００４０】
雌カップリング８４に雄カップリング８６を押し込んで装着すると、弁体９４は弁押し突起１０３により押し上げられて弁座９２から離れ、又、弁押し突起１０３はストッパ９８から離れるので、開弁状態となる。
【００４１】
雄カップリング８６には、スプリンクラヘッドＳＰが螺着されているが、ヘッド本体９７の放水口は、図示しない弁体により閉鎖され、該弁体は感熱分解機構１０４により支持されている。
本実施例に於いては、弁体９４が遮断手段の一例であり、弁押し突起１０３が解除手段の一例となる。また、カップリング８２によりスプリンクラヘッドの取付具を構成している。
【００４２】
次に、本実施例の作動を説明する。
火災発生により感熱分解機構１０４が感熱して分解すると、弁体が放水口から離れて開口するので、消火水は弁座９２と弁体９４との間を通り放水口から放出される。
【００４３】
火災の鎮火後、雄カップリング８６を雌カップリング８４から外すと、押し上げ突起１０３による弁体９４の押圧が解除されるので、該弁体９４はばね９６のばね力及び消火水の圧力により押圧され、弁座９２に押し付けられる。そのため、閉弁状態となり、消火水の放水口からの放出は停止する。
【００４４】
感熱分解機構１０４のついた新しいスプリンクラヘッドＳＰを雄カップリング８６に螺着した後、該雄カップリング８６を雌カップリング８４に装着すると、弁体９４が押し上げ突起１０３により押し上げられ、開弁状態となる。
【実施例４】
【００４５】
この発明の第４実施例を図５により説明する。
配管１１０には、制御弁としての電動弁１１２（又は電磁弁）が設けられ、その下端部には、ソケット１１４が設けられている。このソケット１１４はスプリンクラヘッドＳＰを配管１１０に連結する部材で、その側部には、リミットスイッチ１１８が設けられている。このリミットスイッチ１１８は、センサ部１１８ａによりヘッド本体１１６の着脱を検出するセンサである。
【００４６】
このリミットスイッチ１１８は、制御部１２０に連結され、該制御部１２０はリミットスイッチ１１８の検出信号により電動弁１１２のモータＭを制御する。
【００４７】
このスプリンクラヘッドＳＰのヘッド本体１１６には、図示しない放水口が形成され、この放水口は弁体により封止されている。この弁体は感熱分解機構１２２により支持されている。
【００４８】
次に、本実施例の作動を説明する。
火災発生により感熱分解機構１２２が感熱して分解すると、弁体が放水口から離れて開口するので、消火水は該放水口から放出される。
本実施例では、電動弁１１２が遮断手段の一例であり、リミットスイッチ１１８及び制御部１２０が解除手段の一例である。また、ソケット１１４によりスプリンクラヘッドの取付具を構成している。
【００４９】
火災の鎮火後、ヘッド本体１１６を所定方向に回し、ソケット１１４から外すと、センサ部１１８ａがそれを検出し、リミットスイッチ１１８は取り外し信号を制御部１２０に送出するので、該制御部１２０はモータＭを回転させ、電動弁１１２を閉じさせる。そのため、放水口からの放水は停止する。
【００５０】
新しいスプリンクラヘッドＳＰをコネクタ１１４に装着すると、リミットスイッチ１１８のセンサ部１１８ａが作動し、装着信号を制御部１２０に送出するので、該制御部１２０はモータＭを回転させて電動弁１１２を開ける。
【００５１】
以上の説明に於いては、火災鎮火後にスプリンクラヘッドを新しいものに交換する場合で説明したが、動作していない古いスプリンクラヘッドを新しいスプリンクラヘッドに交換する場合でも、配管から水を流出させずに交換作業を行なうことができる。
【図面の簡単な説明】
【００５２】
【図１】この発明の第１実施例を示す縦断面図である。
【図２】円板を示す平面図である。
【図３】この発明の第２実施例を示す縦断面図である。
【図４】この発明の第３実施例を示す一部縦断面図である。
【図５】この発明の第４実施例を示す正面図である。
【符号の説明】
【００５３】
１    消火配管
３    ワンタッチ継手
５    スプリンクラヘッド
７    受け継手
９    小筒
１２  貫通孔
１６  大筒
４０  円板
４５  ロッド
５０  シールボール
５４  放水口
【図１】
2007252744.tif 000003
【図２】
2007252744.tif 000004
【図３】
2007252744.tif 000005
【図４】
2007252744.tif 000006
【図５】
2007252744.tif 000007